(57)【要約】【課題】  地球温暖化に非常に影響が小さい可燃性冷媒を用いた冷蔵庫において、冷蔵庫のエネルギー効率を高めるとともに、冷媒量を削減し、安全性を高める。【解決手段】  密閉容器内に電動機により駆動される低段側圧縮部と高段側圧縮部からなる圧縮要素を有した圧縮機、凝縮器、膨張手段、冷蔵用冷却器および冷凍用冷却器から構成された冷凍サイクルを備え、前記凝縮器の出口部と冷蔵用冷却器の出口部が熱交換可能な熱伝達手段を配設し、安定した冷却能力を得るとともに冷凍側能力を増大させる。【選択図】        図１
2005106315.tif 000002
【特許請求の範囲】
【請求項１】
密閉容器内に電動機により駆動される低段側圧縮部と高段側圧縮部からなる圧縮要素を有した圧縮機、凝縮器、第一の膨張手段、第二の膨張手段、冷蔵用冷却器および冷凍用冷却器から構成された冷凍サイクルを備え、前記凝縮器の出口部と前記冷蔵用冷却器の出口部が熱交換可能な熱伝達手段を配設したことを特徴とする冷凍冷蔵庫。
【請求項２】
密閉容器内に電動機により駆動される低段側圧縮部と高段側圧縮部からなる圧縮要素を有した圧縮機、凝縮器、第一の膨張手段、第二の膨張手段、冷蔵用冷却器および冷凍用冷却器から構成された冷凍サイクルを備え、前記凝縮器の出口側から前記第一および第二の膨張手段に並列に接続した第三の膨張手段と、前記凝縮器の出口部と前記第三の膨張手段の出口部が熱交換可能な熱伝達手段を配設したことを特徴とする冷凍冷蔵庫。
【請求項３】
前記凝縮器から前記熱伝達手段を経て冷媒が流出する出口部に、冷媒の流れを前記複数の膨張手段のいずれかへ切換える流路切換手段を設けたことを特徴とする請求項１または請求項２に記載の冷凍冷蔵庫。
【請求項４】
前記第二の膨張手段により減圧されて前記冷凍用冷却器を流通した冷媒が
前記第二の膨張手段の下流側に接続された前記冷凍用冷却器の出口部と前記第二の膨張手段の間で熱交換可能としたことを特徴とする請求項１乃至請求項３のいずれかに記載の冷凍冷蔵庫。
【請求項５】
前記熱伝達手段を二重管熱交換器としたことを特徴とする請求項１乃至請求項４のいずれかに記載の冷凍冷蔵庫。
【請求項６】
前記熱伝達手段は、前記凝縮器出口配管の外側に冷却器出口から接続された吸入配管を巻きつけて構成したことを特徴とする請求項１乃至請求項４のいずれかに記載の冷凍冷蔵庫。
【請求項７】
前記電動機をインバータ駆動としたことを特徴とする請求項１乃至請求項６のいずれかに記載の冷凍冷蔵庫。
【請求項８】
前記流路切換手段の弁駆動方式をステッピングモータ駆動としたことを特徴とする請求項１乃至請求項７のいずれかに記載の冷凍冷蔵庫。
【発明の詳細な説明】
【技術分野】
【０００１】
本発明は、２段圧縮の圧縮機を用いて２つの蒸発器に冷媒を送る冷凍サイクルを有する冷凍冷蔵庫に関するものである。
【背景技術】
【０００２】
従来の冷凍冷蔵庫では、２段圧縮コンプレッサから吐出された冷媒が凝縮器、高圧側キャピラリーチューブ、Ｒエバを経て気液分離器に流入し、そこで分離されたガス冷媒が中間圧サクションパイプを経てコンプレッサに戻り、分離器での液冷媒が絞り手段、Ｆエバ、低圧サクションパイプを経てコンプレッサに戻る冷凍サイクルを構成し、中間圧サクションパイプと低圧サクションパイプとを密着配設し、その部分に高圧側キャピラリーチューブを両サクションパイプと熱伝導関係に配置するものがある。
【０００３】
上記のように２段圧縮サイクルを適用した冷凍冷蔵庫において、冷蔵冷却器（Ｒエバ）出口配管および冷凍冷却器（Ｆエバ）出口配管と冷蔵用毛細管の熱交換、または冷凍冷却器（Ｆエバ）出口配管と冷凍用毛細管の熱交換で熱回収を行い、効率改善を行うものがある。（例えば、特許文献１参照）
【０００４】
また、別の従来の冷凍冷蔵庫では、低段および高段圧縮機構からなる圧縮機、凝縮器、冷凍用蒸発器、冷凍用膨張機、冷蔵用蒸発器を有した冷凍サイクルに、冷凍用蒸発器に供給される液冷媒を冷蔵用蒸発器で冷却して過冷却温度を制御する過冷却制御手段を備えた構成が示されている。そして、このような構成により、冷凍冷蔵庫の熱負荷が冷凍室のみに発生した場合に、冷蔵室の冷却能力を冷蔵冷却器部に設置した熱伝達機構で回収し冷凍庫の冷却能力を増大させるように、毛細管前の切替弁にて流路を選択可能としている。（例えば、特許文献２参照）
【０００５】
【特許文献１】特開２００２−１８１３９８号公報（第３−５頁、第１−６図）
【特許文献２】特開２００２−２７７０８２号公報（第４−６頁、第1−３図）
【発明の開示】
【発明が解決しようとする課題】
【０００６】
上述のように従来の冷凍冷蔵庫の冷媒回路図は冷却能力を調整するために、冷媒の流量制御を毛細管の直前に設置した切替弁等を用いて、冷凍用毛細管と冷蔵用毛細管の選択を実施するが、切替弁直前の冷媒状態が気液二相のため冷媒分配に偏りなどがあり、冷却能力を調整できない状態になる問題点があった。また、冷却負荷が冷凍室のみに発生した場合に、冷蔵室に設置した熱伝達手段を用いて、冷蔵室の能力を回収して冷凍室を冷却し２段圧縮運転を実現するようにしている。しかし、熱伝達手段を冷蔵室の冷却器付近に設置するため、庫内容積が小さくなる。もしくは冷蔵室冷却器を小さくするなどして運転時の冷却性能が低下するなどの課題があった。
【０００７】
本発明はこれらの課題を解決するためになされたもので、冷蔵庫の冷凍サイクル効率を高め、低消費電力量の冷蔵庫を得ることを目的としている。さらに、地球温暖化に非常に影響が小さい可燃性冷媒などを用いた冷蔵庫などにおいて、冷媒量を削減し、安全性を大幅に向上した冷蔵庫を得ることを目的としている。
【課題を解決するための手段】
【０００８】
この発明に係る冷凍冷蔵庫は、密閉容器内に電動機により駆動される低段側圧縮部と高段側圧縮部からなる圧縮要素を有した圧縮機、凝縮器、第一の膨張手段、第二の膨張手段、冷蔵用冷却器および冷凍用冷却器から構成された冷凍サイクルを備え、前記凝縮器の出口部と前記冷蔵用冷却器の出口部が熱交換可能となる熱伝達手段を配設したものである。
【０００９】
また、この発明に係る冷凍冷蔵庫は、密閉容器内に電動機により駆動される低段側圧縮部と高段側圧縮部からなる圧縮要素を有した圧縮機、凝縮器、第一の膨張手段、第二の膨張手段、冷蔵用冷却器および冷凍用冷却器から構成された冷凍サイクルを備え、前記凝縮器の出口側から前記第一および第二の膨張手段に並列に接続した第三の膨張手段と、前記凝縮器の出口部と前記第三の膨張手段の出口部が熱交換可能な熱伝達手段を配設したものである。
【発明の効果】
【００１０】
この発明に係る冷凍冷蔵庫によれば、密閉容器内に電動機により駆動される低段側圧縮部と高段側圧縮部からなる圧縮要素を有した圧縮機、凝縮器、第一の膨張手段、第二の膨張手段、冷蔵用冷却器および冷凍用冷却器から構成された冷凍サイクルを備え、前記凝縮器の出口部と前記冷蔵用冷却器の出口部が熱交換可能となる熱伝達手段を配設したので、冷却能力が安定して発揮でき、冷凍側能力を増大することができ、信頼性の高い冷凍冷蔵庫を提供できる効果がある。
【００１１】
また、この発明に係る冷凍冷蔵庫は、密閉容器内に電動機により駆動される低段側圧縮部と高段側圧縮部からなる圧縮要素を有した圧縮機、凝縮器、第一の膨張手段、第二の膨張手段、冷蔵用冷却器および冷凍用冷却器から構成された冷凍サイクルを備え、前記凝縮器の出口側から前記第一および第二の膨張手段に並列に接続した第三の膨張手段と、前記凝縮器の出口部と前記第三の膨張手段の出口部が熱交換可能な熱伝達手段を配設したので、さらに冷凍能力を増大することができる冷凍冷蔵庫を提供することができる。
【発明を実施するための最良の形態】
【００１２】
実施の形態１．
図1はこの発明の実施の形態１の冷凍冷蔵庫の冷媒回路図、図２は図１による冷凍冷蔵庫の側面断面図である。この冷凍冷蔵庫の冷凍サイクルの冷媒には地球温暖化に非常に影響が小さい炭化水素系冷媒Ｒ６００ａを用いている。図において、1は内部に電動機を有し、この電動機にて駆動される高段側圧縮部２と低段側圧縮部３より構成される圧縮機、４は圧縮機１の吐出側から配管で接続された凝縮器、５は凝縮器４の流出側に接続された熱伝達手段である過冷却熱交換器、６は過冷却熱交換器５と冷却器上流に位置する絞り装置の毛細管との間に配管接続された流路切換手段である電動流路切換弁であり外部からの電気信号により流路を連通または閉止することができる。圧縮機１は外部の指令により、電動機の回転数を制御できるインバータ方式の圧縮機であり、この図では内部は低圧に保持されている。
【００１３】
７は電動流路切換弁６の第一流出側配管（冷蔵用冷却器側）に接続された冷蔵室冷却用の第一の膨張手段である冷蔵用毛細管、８は冷蔵用毛細管７の下流側に接続された冷蔵用冷却器、９は冷蔵用冷却器８出口から過冷却熱交換器５を経て圧縮機１の高段側圧縮部２の吸入側に接続された高段側吸入配管である。また、１０は電動流路切換弁６の第二流出側配管（冷凍用冷却器側）に接続された冷凍室冷却用の第二の膨張手段である冷凍用毛細管、１１は冷凍用毛細管１０の下流側に接続された冷凍用冷却器、１２は冷凍用冷却器１１出口配管が冷凍用毛細管１０と熱交換可能に配設された下流側で圧縮機１の低段側圧縮部３へ冷媒が流入可能に接続された低段側吸入配管である。また、１６は電動流路切換弁６の第三流出側配管（過冷却熱交換器側）に接続された冷凍室のみ冷却時の中間圧膨張手段である第三の毛細管であり、この流出側は冷蔵用冷却器８から過冷却熱交換器５への接続配管へ合流可能に接続されている。そして、上述の構成により、圧縮機１から吐出した冷媒は凝縮器４、過冷却熱交換器５、電動流路切換弁６を順次流通し、冷蔵用および冷凍用のそれぞれの毛細管および冷却器へ流れ込み、冷凍冷蔵庫内空気を冷却した後、圧縮機１へ戻り循環する冷凍サイクルを形成している。
【００１４】
また、図３に過冷却熱交換器５の拡大断面図を示す。過冷却熱交換器５は、凝縮器出口に接続する配管を内管としその外側にそれより大きな径の外管をほぼ同心円状に設置して流れが対向するように構成された二重管式の熱交換器である。さらに、図４に他の過冷却熱交換器５の拡大側面図、図５に図４の拡大断面図を示す。この過冷却熱交換器５は凝縮器出口に接続する配管の外側に配管を螺旋状に巻き付けて密接設置する構成で、それぞれの配管を冷媒が対向して流れるように配置接続されている。
【００１５】
図６は電動流路切換弁６の側面図、図７は図６の断面Ｘ−Ｘにおける内部断面図である。図において、１７は弁座１９と弁体２０から成り流入流出配管が接続される切換弁本体、１８は弁体２０を回転駆動させる駆動モータ、例えばステッピングモータである。この電動流路切換弁６は過冷却熱交換器５から流出する配管と冷蔵用毛細管７および冷凍用毛細管１０との間に接続され、内部に弁回転中心に軸支されるとともに連通穴Ａと連通穴Ｂを配設している弁体２０の回転動作により、過冷却熱交換器側（凝縮器側）から冷蔵用毛細管および冷凍用毛細管を同時に連通する場合（図7の（ｃ））、過冷却熱交換器側（凝縮器側）から冷凍用毛細管へ連通する場合（図７の（ｄ））、過冷却熱交換器側（凝縮器側）から冷蔵用毛細管へ連通する場合（図７の（ｅ））、および過冷却熱交換器側（凝縮器）から冷蔵用毛細管および冷凍用毛細管両側とも閉止する場合（図示せず）の流路切換えが可能である。
【００１６】
図２において、３２は５℃程度に保たれた冷蔵室、３３は−１８℃以下の冷凍室、そして３４は冷蔵室の冷気が流れ込んで５℃から１０℃に保たれた野菜室である。冷蔵室３２には上記冷蔵用冷却器８とその近傍に冷蔵室用送風機２７が設けられ、冷蔵室内および野菜室内の空気が冷蔵用冷却器８を通過して、冷却した空気を循環させている。また、冷凍室３３には冷凍用冷却器１１とその近傍に冷凍室用送風機２８が設けられ、冷凍室内の空気を冷却し循環させて冷凍室内を所定の温度に保っている。その際、冷蔵室３２内には冷蔵室用温度検知手段１４が、また冷凍室３３内には冷凍室用温度検知手段１５が設置され、検知信号はコントローラ１３へ送信される。そして、このコントローラ１３から、それぞれの検知した温度に応じて、圧縮機１または電動流路切換弁６による冷凍サイクルの運転および送風機の運転を行っている。
【００１７】
次に動作について説明する。先ず、冷蔵室３２および冷凍室３３の温度検知手段１４，１５が予め設定されている設定温度より高い温度を検知した場合は、電動流路切換弁６を冷蔵用毛細管７と冷凍用毛細管１０の両方へ連通する状態とし（図７の（ｃ））、圧縮機１、冷蔵室用送風機２７および冷凍室用送風機２８を運転して、冷凍室と冷蔵室を同時に冷却する運転動作を行う。
【００１８】
この冷凍室と冷蔵室を同時に冷却する場合の冷凍サイクルの動作を、図１および図８をもとに説明する。図８は冷凍室と冷蔵室を同時に冷却する場合のＰ−ｈ線図で、縦軸に圧力、横軸にエンタルピをとり、図中の記号は図１の冷媒回路図上に示した位置と同じ場所を示す。圧縮機１の高段側圧縮部２を吐出した高温高圧の蒸気冷媒（A）は凝縮器４で冷蔵庫の外部へ熱を放出して凝縮液化する（B）。そして凝縮器４を流出した高温高圧の冷媒は過冷却熱交換器５で冷蔵冷却器を流れ出した冷媒と熱交換して、さらに冷却され過冷却状態となる（B´）。その後流入した電動流路切替弁６で分流され、一方は冷蔵用毛細管６へ流れ込む。冷蔵用毛細管６を通過する高温高圧の冷媒は中温中圧の気液二相冷媒へ減圧膨張し（C）、冷蔵用冷却器８へ流入して冷蔵室内の空気から熱を奪って蒸発ガス化し（Ｄ）、冷蔵室内を冷却する。そして、冷蔵用冷却器８を流出した中圧蒸気冷媒は上記過冷却熱交換器５を経て圧縮機１の低段圧縮部と高段圧縮部を接続する配管に接続された吸入配管８を介して圧縮機に流れ込む（E）。
【００１９】
凝縮器４から過冷却熱交換器５を経て過冷却した高圧液冷媒（B´）が電動流路切換弁６で分流された残りの一方は冷凍用毛細管１０へ流れ込む。冷凍用毛細管９で、冷凍用冷却器１１出口部に接続された吸入配管と熱交換しながら低温低圧の気液二相冷媒へ減圧膨張する（F）。そして冷凍用冷却器１１に流入して冷凍室内の空気から熱を奪って蒸発ガス化し（Ｇ）、冷凍室内を冷却する。その後、低圧蒸気冷媒は冷凍用毛細管１０と熱交換し、圧縮機１の低段圧縮部３へ接続された低段側吸入配管１２を介して圧縮機１の低段圧縮部に流れ込む（H）。
【００２０】
冷凍用冷却器１１から流れ込んだ低圧蒸気冷媒は低段圧縮部３で中圧蒸気冷媒まで圧縮され吐出する（Ｉ）。低段側圧縮部３から吐出した中圧冷媒は冷蔵用冷却器８から流れ込んできた中圧蒸気冷媒と合流し、高段側圧縮部２に吸入される（Ｊ）。この高段側圧縮部２では中圧蒸気冷媒から高温高圧の冷媒まで圧縮され、再び凝縮器４へと流れ込む。
【００２１】
図８に示した本実施の形態における冷凍室と冷蔵室の同時冷却運転時のＰ−ｈ線図からもわかるように、冷蔵と冷凍の各設定温度帯に合せて冷却器を設置し、その設定温度に対応した冷媒の蒸発温度を実現することができる。さらに、冷蔵用冷却器８の出口部分と凝縮器４の出口部分を熱交換させる熱伝達手段の過冷却熱交換器５を設けたので、冷凍効果が増大し、効率良い運転を可能としている。また、冷凍用毛細管１０も、冷凍用冷却器１１の出口配管と熱交換するのでさらに効率良い運転となる。従って、従来の凝縮器からの気液二相状態で冷媒が流路切替弁に流入していた場合に比べ、本実施の形態のように、凝縮器出口部と低温の冷蔵用冷却器出口部とで熱交換させ冷媒を過冷却させて十分に液状態にするため、流路切換弁における均一な分配が可能となる効果が得られる。
【００２２】
また、過冷却熱交換器５の熱伝達手段を二重管熱交換器としたので、低コストで高性能な熱伝達手段を搭載した冷凍冷蔵庫を提供することができる。また、この熱伝達手段の他の構成として、中を流れる配管にその外側に螺旋状に配管を巻き付けて密接配置した構成の熱伝達手段としたので、同様に低コストで高性能な熱伝達手段を搭載することができる。
【００２３】
また、圧縮要素を駆動する電動機をインバータ駆動としたので、冷蔵庫の冷却負荷に合わせた２段圧縮の回転数可変運転により、高効率な運転が可能となり、消費電力量を大幅に抑制できる効果が得られる。また、流路切換手段の弁駆動方式をステッピングモータ駆動としたので、弁体駆動時のみに電力を消費するため、さらに消費電力量を抑制した冷凍冷蔵庫を提供することができる。
【００２４】
次に、冷凍室の温度検知手段１５による検知温度が予め設定されている設定温度より大きく、冷蔵室の温度検知手段１４による検知温度が予め設定されている設定温度より小さい場合は、電動流路切換弁６を冷凍用毛細管１０と冷凍室のみ冷却運転用の中間圧膨張手段の第三の毛細管１６のみ開として流通可となるように制御し（図７の（ｄ））、圧縮機１を運転して、冷凍室のみを冷却する運転動作を行う。
【００２５】
この冷凍室のみを冷却する場合の冷凍サイクルの動作を、図９および図１０をもとに説明する。図９は冷凍室のみ運転する場合の冷媒の流れを点線矢印で図上に示した冷媒回路図であり、図１０は冷凍室のみを冷却する場合のＰ−ｈ線図である。図１０中の記号は図９の冷媒回路図上の記号の位置と同じ場所を示す。圧縮機１の高段側圧縮部２を吐出した高温高圧の蒸気冷媒（A）は凝縮器４で冷蔵庫の外部へ熱を放出し、凝縮液化する（B）。凝縮器４を流出した高温高圧の冷媒は過冷却熱交換器５に流入し、そこで中圧に減圧された二相冷媒と熱交換して過冷却される（Ｂ´）。そして過冷却された冷媒は、電動流路切換弁６で開状態で流通された冷凍用毛細管１０を通過して高圧の液冷媒は低温低圧の気液二相冷媒へ減圧膨張する（Ｆ）。低温低圧の気液二相冷媒は冷凍用冷却器１０に流入して冷凍室内の空気から熱を奪って蒸発ガス化し（Ｇ）、冷凍室内を冷却する。その後、冷凍用冷却器１１から流出して上記冷凍用毛細管１０と熱交換した低圧の蒸気冷媒は、低段側吸入配管１２を介して圧縮機１の低段側圧縮部３に流れ込む（H）。
【００２６】
一方、上記電動流路切換弁６で流通された冷凍室のみ冷却運転用の中間圧膨張手段である第三の毛細管１６で減圧された二相冷媒は中温中圧の状態で熱伝達手段の過冷却熱交換器５に流れ込こむ（C）。過冷却熱交換器５で第三の毛細管１６により中温中圧となった二相冷媒は凝縮器４から流出した高温高圧の二相冷媒と熱交換して乾き度が高い二相冷媒（D）となり、高段側吸入配管９を介して高段側圧縮部２に、低段側圧縮部３で圧縮された冷媒（I）と混合して吸入され（J）、高段側圧縮部２で圧縮されて高温高圧の冷媒となって圧縮機から吐出し（Ａ）、再び凝縮器４へと流れ込む。
【００２７】
次に、冷凍室の温度検知手段１５による検知温度が予め設定されている設定温度より小さく、冷蔵室の温度検知手段１４による検知温度が予め設定されている設定温度より大きい場合について説明する。まず、圧縮機１が停止している状態で、冷蔵室用送風機２７を運転し、冷蔵室内空気を冷蔵用冷却器８へ送風させてこの冷蔵用冷却器８に付着している霜の融解熱により庫内を冷却する。そして、予め設定された時間が経過した後は、電動流路切換弁６を冷蔵用毛細管７と冷凍用毛細管１０の両方および第三の毛細管１６を介した過冷却熱交換器にそれぞれ連通可となるように制御して（図７の（ｃ））、圧縮機１を運転する。これにより、冷凍室と冷蔵室を同時に冷却する運転動作を行い、冷蔵室ばかりでなく冷凍室も同時に冷却する。冷凍サイクルの動作については前述した冷凍室と冷蔵室の同時運転であるため説明は省略する。
【００２８】
従来の冷凍用毛細管と冷蔵用毛細管が冷凍用冷蔵用それぞれの冷却器出口側から接続された吸入配管と熱交換する冷媒回路では、冷凍室のみ運転を行う場合に、サイクルの効率を十分に引き出すことが困難であるが、本実施の形態では、冷凍室のみ冷却時の中間圧膨張手段である第三の毛細管１６を設けてここで減圧した冷媒を熱交換させるために凝縮器４の出口部分に過冷却熱交換器５を設置しているので、冷凍室のみ運転時のサイクル効率を向上させる効果がある。これにより冷凍室の冷却に適した蒸発温度で過冷却を行うことができる。その蒸発温度は、絞り装置である毛細管や過冷却熱交換器伝熱面積または圧縮機の回転数などを調整することにより目標の温度にすることができる。例えば、蒸発温度を高くしたい場合は、毛細管の長さを短くもしくは内径を大きく、過冷却熱交換器の伝熱面積を大きく、あるいは圧縮機の回転数を小さくすることの少なくとも一つを実施すれば良い。また、蒸発温度を低くする場合は毛細管の長さを長くもしくは内径を小さく、過冷却熱交換器の伝熱面積を小さく、あるいは圧縮機の回転数を大きくすることの少なくとも一つを実施すれば良い。
【００２９】
このように本実施の形態では、冷凍冷蔵庫に2段圧縮サイクルを採用し冷凍室のみ冷却運転用の中間圧膨張手段である第三の毛細管１６と凝縮器４の出口部分に位置する熱伝達手段の過冷却熱交換器５を設置して、凝縮器４を流出した冷媒を上記第三の毛細管１６により中温中圧となった冷媒によりさらに冷却されて充分な液冷媒としているため、冷凍室のみを冷却する場合において、冷凍サイクルの効率が飛躍的に上昇するため圧縮機の入力を大幅に低減でき、消費電力量も大幅な低減が可能となる。さらに、流路切換手段６を毛細管の上流側に配置したため、圧縮機吸入配管での圧力損失を低減でき、サイクル効率を上昇させることが可能である。また、電動流路切換弁５を設けたので、冷凍室に被冷却物が大量に投入されるような急激な負荷増加時に冷凍室のみ冷却することができ、冷蔵室を必要以上に冷却することがなく省エネ性に優れると同時に冷蔵室の温度管理上の品質を向上させることが可能となる。
【００３０】
また、サイクル効率が従来の冷蔵庫より大幅に良いため、従来の冷蔵庫と同等の性能を保ちながら冷凍用冷却器と冷蔵用冷却器を小型化することが可能となるため、可燃性冷媒であるＲ６００ａを用いても冷媒充填量が従来に比べ削減することが可能となり、安全性がより一層向上する。
【００３１】
また、本実施の形態では冷媒として炭化水素冷媒Ｒ６００ａ（イソブタン）を用いた場合について説明したがこれに限ることなく、Ｒ６００（ブタン）やＲ２９０（プロパン）などの炭化水素冷媒やアンモニアおよび二酸化炭素などの自然冷媒、あるいはこれらの混合冷媒であってもよく、同様の効果が得られる。また、Ｒ１３４ａ、Ｒ３２やＲ１５２ａなどの地球温暖化係数の小さなHFC系フロン冷媒、あるいはそれらの混合冷媒であってもよい。
【００３２】
さらに、上述の実施の形態で用いられる冷凍機油について特に明示していないが、鉱油やアルキルベンゼン、エステル油、エーテル油、PAG油などの合成油であってもよい。
【００３３】
また、さらに、上述の実施の形態で用いられている圧縮機について特に明示していないが、レシプロ式、ロータリー式、スクロール式などで、圧縮部が２ヶ所以上あれば良く、圧縮機内の圧力を高圧に保持した高圧シェルタイプ、圧縮機内の圧力を低圧に保持した低圧シェルタイプもしくは圧縮機内の圧力を中圧に保持した中圧シェルタイプのいずれのタイプでも良い。
【００３４】
さらに、上述の実施の形態で用いられている凝縮器について特に明示していないが、冷蔵庫の側壁に埋め込まれた銅配管と外板が接触した自然対流式や送風手段を用いた強制対流式のいずれのタイプでも良い。
【図面の簡単な説明】
【００３５】
【図１】本発明の実施の形態１に係る冷凍冷蔵庫の冷媒回路図である。
【図２】本発明の実施の形態１に係る冷凍冷蔵庫の側面断面図である。
【図３】本発明の実施の形態１に係る過冷却熱交換器の側面断面図である。
【図４】本発明の実施の形態１に係わり、その他の過冷却熱交換器の側面図である。
【図５】本発明の実施の形態１に係わり、その他の過冷却熱交換器の断面図である。
【図６】本発明の実施の形態１に係る電動流路切換弁の側面図である。
【図７】本発明の実施の形態１に係る電動流路切換弁の内部断面図である。
【図８】本発明の実施の形態１に係る冷凍サイクルのＰ−ｈ線図である。
【図９】本発明の実施の形態１に係る冷凍冷蔵庫の冷媒回路図である。
【図１０】本発明の実施の形態１に係る冷凍サイクルのＰ−ｈ線図である。
【符号の説明】
【００３６】
１  圧縮機、  ２  高段側圧縮部、  ３  低段側圧縮部、  ４  凝縮器、  ５  過冷却熱交換器、  ６  電動流路切換弁、  ７  冷蔵用毛細管、  ８  冷蔵用冷却器、  ９  高段側吸入配管、  １０  冷凍用毛細管、  １１  冷凍用冷却器、  １２  低段側吸入配管、  １３  コントローラ、  １４  冷蔵室用温度検知手段、  １５  冷凍室用温度検知手段、  １６  第三の毛細管（冷凍室のみ冷却時の中間圧膨張手段）、  １７  切換弁本体、  １８  駆動モータ、  １９  弁座、  ２０  弁体、  ２７  冷蔵室用送風機、  ２８  冷凍室用送風機、  ３２  冷蔵室、３３  冷凍室、３４  野菜室。
【図１】
2005106315.tif 000003
【図２】
2005106315.tif 000004
【図３】
2005106315.tif 000005
【図４】
2005106315.tif 000006
【図５】
2005106315.tif 000007
【図６】
2005106315.tif 000008
【図７】
2005106315.tif 000009
【図８】
2005106315.tif 000010
【図９】
2005106315.tif 000011
【図１０】
2005106315.tif 000012